(57)【要約】【課題】  搬送される記録媒体の列数及び記録媒体の幅に関わらず、常に記録媒体の両側部の位置を規制することができ、安定した搬送をガイドすることのできる記録媒体の搬送ガイド装置を提供すること。【解決手段】複数の記録媒体を並列させて搬送可能とする搬送路と、前記搬送路を搬送される記録媒体の搬送方向両側部の位置をそれぞれ規制してガイドするガイド部材と、各ガイド部材が取り付けられる取り付け部材とを有する記録媒体の搬送ガイド装置であって、前記各ガイド部材のうち、少なくとも両端部にそれぞれ配設された２つのガイド部材を除く残りのガイド部材が、前記取り付け部材に対して着脱可能とされていることを特徴とする記録媒体の搬送ガイド装置。【選択図】        図１
2005082262.tif 000002
【特許請求の範囲】
【請求項１】
複数の記録媒体を並列させて搬送可能とする搬送路と、前記搬送路を搬送される記録媒体の搬送方向両側部の位置をそれぞれ規制してガイドするガイド部材と、各ガイド部材が取り付けられる取り付け部材とを有する記録媒体の搬送ガイド装置であって、前記各ガイド部材のうち、少なくとも両端部にそれぞれ配設された２つのガイド部材を除く残りのガイド部材が、前記取り付け部材に対して着脱可能とされていることを特徴とする記録媒体の搬送ガイド装置。
【請求項２】
前記各ガイド部材における前記記録媒体の両側部をガイドする組を構成する２つのガイド部材のうちの一方は、前記取り付け部材に対して基準位置に位置決めされ、他方は前記記録媒体の幅方向に沿って位置調整可能とされていることを特徴とする請求項１記載の記録媒体の搬送ガイド装置。
【請求項３】
前記各ガイド部材のうち、両端部にそれぞれ配設された２つのガイド部材のうちの一方は、基準位置に固定され、他方は、基準位置に位置決め可能で、且つ、前記記録媒体の幅方向に沿って位置調整可能とされていることを特徴とする請求項１又は２記載の記録媒体の搬送ガイド装置。
【請求項４】
前記記録媒体はロール状であることを特徴とする請求項１、２又は３記載の記録媒体の搬送ガイド装置。
【発明の詳細な説明】
【技術分野】
【０００１】
本発明は、一定方向に搬送される記録媒体の両側部の位置を規制することにより搬送をガイドする記録媒体の搬送ガイド装置に関する。
【背景技術】
【０００２】
従来、一定方向に搬送される記録媒体の両側部をガイドする搬送ガイド装置として、特許文献１に記載のものが知られている。
【０００３】
このものは、記録媒体の両側部をガイドするサイドガイドを、ラック及びピニオン構造によって記録媒体の幅方向に沿って連動するように構成し、記録媒体の両側部の位置を規制することができるようにすると共に、細かいギヤを形成したストッパギヤをピニオンと同軸に一体に設け、このストッパギヤと噛合するストッパ部材によって係止手段を構成し、サイドガイドの位置を固定可能としている。
【０００４】
ところで、記録媒体に対して記録ヘッドからインクを吐出することにより所望のインクジェット画像を記録形成するインクジェットプリンタでは、プリンタにおいて使用可能な最大幅の１列の記録媒体に画像を記録する機能に加え、その最大幅の半分以下の小幅な記録媒体を複数並列させて搬送させ、それら並列する全記録媒体の幅方向に亘って記録ヘッドを走査させることにより、複数の記録媒体に亘って同時進行的に画像を記録する機能を兼備させることで、複数種の記録媒体幅に対応し、なお且つ複数の記録媒体に対して高速で画像記録する方法が知られている。
【０００５】
この場合も、記録媒体の幅方向両側部の位置を規制することにより、その搬送をガイドすることが必要となるが、上記特許文献１に記載のように両サイドガイドを連動させる搬送ガイド装置によると、記録媒体の幅方向の大きさに関わらず、１列の記録媒体の両側部をガイドすることしかできないため、このようなサイドガイドを１つだけ設けた場合には、最大幅に対して、半分以下の幅を有する記録媒体を２列以上に複数並べて搬送する際に、各記録媒体の両側部をそれぞれガイドすることは不可能であった。
【０００６】
また、並列して搬送される複数の記録媒体の数に対応させてそれぞれサイドガイドを設けるようにすると、最大幅の記録媒体を１列のみで搬送させる場合には、中程に位置するサイドガイドが邪魔になってしまう問題がある。
【特許文献１】特開２００２−２９６８号公報
【発明の開示】
【発明が解決しようとする課題】
【０００７】
そこで、本発明は、搬送される記録媒体の列数及び記録媒体の幅に関わらず、常に記録媒体の両側部の位置を規制することができ、安定した搬送をガイドすることのできる記録媒体の搬送ガイド装置を提供することを課題とする。
【０００８】
本発明の他の課題は、以下の記載により明らかとなる。
【課題を解決するための手段】
【０００９】
請求項１記載の発明は、複数の記録媒体を並列させて搬送可能とする搬送路と、前記搬送路を搬送される記録媒体の搬送方向両側部の位置をそれぞれ規制してガイドするガイド部材と、各ガイド部材が取り付けられる取り付け部材とを有する記録媒体の搬送ガイド装置であって、前記各ガイド部材のうち、少なくとも両端部にそれぞれ配設された２つのガイド部材を除く残りのガイド部材が、前記取り付け部材に対して着脱可能とされていることを特徴とする記録媒体の搬送ガイド装置である。
【００１０】
請求項２記載の発明は、前記各ガイド部材における前記記録媒体の両側部をガイドする組を構成する２つのガイド部材のうちの一方は、前記取り付け部材に対して基準位置に位置決めされ、他方は前記記録媒体の幅方向に沿って位置調整可能とされていることを特徴とする請求項１記載の記録媒体の搬送ガイド装置である。
【００１１】
請求項３記載の発明は、前記各ガイド部材のうち、両端部にそれぞれ配設された２つのガイド部材のうちの一方は、基準位置に固定され、他方は、基準位置に位置決め可能で、且つ、前記記録媒体の幅方向に沿って位置調整可能とされていることを特徴とする請求項１又は２記載の記録媒体の搬送ガイド装置である。
【００１２】
請求項４記載の発明は、前記記録媒体はロール状であることを特徴とする請求項１、２又は３記載の記録媒体の搬送ガイド装置である。
【発明の効果】
【００１３】
本発明によれば、搬送される記録媒体の列数及び記録媒体の幅に関わらず、常に記録媒体の両側部の位置を規制することができ、安定した搬送をガイドすることのできる記録媒体の搬送ガイド装置を提供することができる。
【発明を実施するための最良の形態】
【００１４】
以下、本発明の実施の形態について図面に基づいて説明する。
【００１５】
図１は、本発明に係る記録媒体の搬送ガイド装置の全体斜視図、図２はその裏面側からみた斜視図である。
【００１６】
同図に示す搬送ガイド装置は、搬送路Ｐ１と搬送路Ｐ２を有しており、記録媒体（図示せず）を２列に並列させて搬送可能としたものを示している。
【００１７】
搬送ガイド装置は、搬送路Ｐ１及び搬送路Ｐ２上をそれぞれ搬送される記録媒体の幅方向両側部に対応する位置にそれぞれガイド部材１〜４が配置されている。
【００１８】
各ガイド部材１〜４は、搬送される記録媒体の裏面を支持する支持板部１１、２１、３１、４１と、該支持板部１１、２１、３１、４１の一方側部から略直角に立ち上げられ、記録媒体の側部の位置を規制して該記録媒体の搬送をガイドするガイド板部１２、２２、３２、４２とを有しており、上記支持板部１１、２１、３１、４１の裏面側において、各搬送路Ｐ１及びＰ２の全幅方向に亘って延びる平板状の取り付け部材５に取り付けられている。
【００１９】
各ガイド部材１〜４のうち、ガイド部材１及び２が搬送路Ｐ１を搬送される幅ｗ１の記録媒体の幅方向両側部をガイドする組を構成し、そのガイド板部１２、２２は、搬送路Ｐ１を挟んで支持板部１１、２１の互いに反対端部に位置し、また、ガイド部材３及び４が搬送路Ｐ２を搬送される幅ｗ２の記録媒体の幅方向両側部をガイドする組を構成し、そのガイド板部３２、４２は、搬送路Ｐ２を挟んで支持板部３１、４１の互いに反対端部に位置している。
【００２０】
これら各ガイド部材１〜４のうち、図１中の右端部に位置するガイド部材１は、取り付け部材５に対してビス止め等の固着手段によって、予め定められた基準位置に固定され、取り付け部材５に対して不動とされている。
【００２１】
一方、中程に位置するガイド部材２、３は、取り付け部材５に対して着脱可能とされている。また、これらガイド部材２、３は、記録媒体の幅方向に沿って位置調整可能とされており、本発明において好ましい態様を示している。
【００２２】
図３は、ガイド部材２、３を取り付け部材５から取り外した状態を示す全体斜視図である。同図に示すように、ガイド部材２、３は、スライド部材６、７を介して取り付け部材５に取り付けられている。
【００２３】
スライド部材６、７は、各ガイド部材２、３の裏面側を支持する支持部６１、７１と、該支持部６１、７１から更に裏面側に突出するそれぞれ４本の脚部６２、７２とを有しており、各脚部６２、７２を、取り付け部材５に記録媒体の幅方向に沿って横長状に貫通形成されたそれぞれ２本の平行な規制溝５１、５２に挿通させ、取り付け部材５の裏面側において、該取り付け部材５を間に挟むように各脚部６２、７２にストッパ部材６３、７３が取り付けられている。
【００２４】
ストッパ部材６３、７３の詳細を図４に示す。ストッパ部材６３、７３は、上記スライド部材６、７の各脚部６２、７２にそれぞれビス６３１、７３１等によって固着される取り付け板６３２、７３２と、各取り付け板６３２、７３２から略直角に立ち上がる固定片６３３、７３３とを有している。
【００２５】
各固定片６３３、７３３には、軸６３４、７３４によって軸着された可動片６３５、７３５を有しており、各固定片６３３、７３３と各可動片６３５、７３５との間の先端側には付勢ばね６３６、７３６が介設され、各固定片６３３、７３３と各可動片６３５、７３５の先端同士を、軸６３４、７３４を中心にして互いに離反する方向に付勢している。
【００２６】
なお、図４において、ストッパ部材７３は、その固定片７３３と可動片７３５との間に何ら外力が加えられていない状態を示し、ストッパ部材６３は、その固定片６３３と可動片６３５の先端同士を、作業者等が付勢ばね６３６に抗して指で挟み付けるように操作した状態を示している。
【００２７】
固定片６３３と可動片６３５には、軸６３４よりも取り付け板６３２側に、固定片６３３と可動片６３５の先端同士を、付勢ばね６３６に抗して挟み付けるように操作した状態のときに、記録媒体の幅方向（図４の左右方向）から見て互いに合致する形状の開口６３７、６３８が穿設されており、また、固定片７３３と可動片７３５にも、軸７３４よりも取り付け板７３２側に、固定片７３３と可動片７３５の先端同士を、付勢ばね７３６に抗して挟み付けるように操作した状態のときに、記録媒体の幅方向（図４の左右方向）から見て互いに合致する形状の開口７３７、７３８が穿設されている。
【００２８】
これら開口６３７、６３８、７３７、７３８は、略同一大に形成されており、取り付け部材５の裏面側において、これら開口６３７、６３８、７３７、７３８に亘って、その幅方向に沿って設けられた１本のガイド棒８が貫挿している。ガイド棒８は、上記開口６３７、６３８、７３７、７３８よりも僅かに小径とされている。
【００２９】
従って、図４におけるストッパ部材６３のように、その固定片６３３と可動片６３５の先端同士を付勢ばね６３６に抗して作業者等が指で挟み付けるように操作すると、固定片６３３の開口６３７と可動片６３５の開口６３８は互いに合致し、ガイド棒８に沿ってスライド移動可能とされる。このとき、スライド部材６は、その脚部６２が規制溝５１に沿って規制されつつ、記録媒体の幅方向にスライド移動する。これにより、スライド部材６に取り付けられるガイド部材２は、記録媒体の幅方向に沿って位置調整される。
【００３０】
また、図４におけるストッパ部材７３のように、その固定片７３３と可動片７３５に何らの外力も加えない状態では、可動片７３５は付勢ばね７３６の付勢力によって、その先端が固定片７３３から離反するように軸７３４を中心にして回転する。これにより可動片７３５は、図５の部分拡大図に示すように、ガイド棒８に対する角度が変化し、可動片７３５の開口７３８の見かけ上の形状が、記録媒体の幅方向から見て、開口７３７よりも幅狭状となり、その開口７３８の内縁ｅがガイド棒８を互いに反対方向から挟み込むように圧接することにより、ガイド棒８に沿うスライド移動を不可とする。これにより、スライド部材７は記録媒体の幅方向に沿う移動が阻止され、このスライド部材７に取り付けられるガイド部材３は、記録媒体の幅方向に沿う位置が、その位置で一旦位置決めされる。
【００３１】
このようにして記録媒体の幅方向に沿ってスライド移動可能とされる各スライド部材６、７には、各支持部６１、７１の略中央に、記録媒体の搬送方向に沿って幅広溝６４、７４とこの幅広溝６４、７４に連続する幅狭溝６５、７５とが貫通形成されると共に、各支持部６１、７１の左右両側部に、それぞれ側方に突出する張り出し部６６、７６が形成されている。
【００３２】
一方、これらスライド部材６、７に着脱可能に取り付けられる各ガイド部材２、３の詳細を図６に示す。ガイド部材２と３は、左右対称の同一構造であるため、図６ではガイド部材２を示し、ガイド部材３に対応する符号を括弧内に示す。
【００３３】
ガイド部材２、３には、スライド部材６、７の幅狭溝６５、７５と略同一幅の係合脚部２３、３３を介して、上記幅広溝６４、７４と略同一幅の係合板部２４、３４が、上記支持板部２１、３１の裏面側にＴ字状をなすように突設されている。
【００３４】
また、上記支持板部２１、３１の左右両側部には、記録媒体の搬送方向に沿うように、上記各スライド部材６、７の張り出し部６６、７６に係止する係止爪部２５、３５が形成され、その略中央部において取り付け脚部２６、３６によって支持板部２１、３１と連結されている。
【００３５】
このガイド部材２、３は、一般に合成樹脂によって一体成形されており、上記係合板部２４、３４をスライド部材６、７の幅広溝６４、７４に嵌合させた後、そのまま図示下方に向けてスライドさせ、上記係合脚部２３、３３をスライド部材６、７の幅狭溝６５、７５に嵌合させると同時に、合成樹脂の有する弾性を利用して、各係止爪部２５、３５の先端の爪部２５１、３５１をスライド部材６、７の張り出し部６６、７６を乗り越えさせてこれに係止させることによって、スライド部材６、７に対して取り付けられる。
【００３６】
また、取り外す場合は、各係止爪部２５、３５の後端２５２、３５２を挟み付けるように摘むことにより、取り付け脚部２６、３６を中心にして先端の爪部２５１、３５１を左右に拡開させ、スライド部材６、７の張り出し部６６、７６との係止状態を解除した後、そのまま図示上方向にスライドさせて上記と逆の操作を行うことによって、ガイド部材２、３を取り外すことができるようになっている。
【００３７】
図１中の左端部に位置するガイド部材４は、支持板部４１の裏面側に突出する４本の脚部４３を有しており、該脚部４３を、取り付け部材５に記録媒体の幅方向に沿って横長状に貫通形成された２本の平行な規制溝５３に挿通させ、取り付け部材５の裏面側において、該取り付け部材５を間に挟むように、脚部４３にストッパ部材４４が取り付けられている。
【００３８】
ストッパ部材４４の構造は、図４に示すストッパ部材６３、７３と同一であり、これらと同様にガイド棒８が開口に貫挿することによって、上記ストッパ部材６３、７３と全く同一の動きをなす。従って、ガイド部材４は、ガイド部材２、３と全く同様に、記録媒体の幅方向に沿って位置調整可能とされている。
【００３９】
また、図７に詳細に示されるように、ガイド部材４は、取り付け部材５の裏面側において、ストッパ部材４４が取り付けられた基板４４１と同一基板上に係止部材４５が設けられている。この係止部材４５は、取り付け部材５の所定の位置に、記録媒体の搬送方向に沿う縦長状のスリット５４と合致する幅を有する係止板片４５１が、記録媒体の幅方向に沿う軸を中心に回転可能に設けられており、係止板片４５１の位置とスリット５４の位置とが合致するようにガイド部材４を位置調整させた後、この係止板片４５１を回転させて、その先端を上記スリット５４に嵌合させることによって、ガイド部材４をそのスリット５４が形成された位置（基準位置）に位置決めすることができる（図７（ａ））。
【００４０】
また、この係止板片４５１を回転させて上記スリット５４から外すと、ガイド部材４の取り付け部材５に対する固定状態は解除され、ストッパ部材４４を操作することによって、記録媒体の幅方向に沿って任意に位置調整を行うことができる（図７（ｂ））。
【００４１】
しかして、かかる搬送ガイド装置によると、図１に示すように、搬送路Ｐ１、Ｐ２にそれぞれ幅ｗ１、ｗ２の記録媒体を２列に並列させて搬送する場合、ガイド部材１は、取り付け部材５に対して基準位置に固定されており、これと組をなすガイド部材２が位置調整可能であることによって、搬送路Ｐ１を搬送される記録媒体の一方側部の位置を基準位置に固定されたガイド部材１によって規制すると同時に、他方側部の位置もガイド部材２を記録媒体幅に位置調整することによって規制する。これにより、搬送路Ｐ１を搬送される幅ｗ１の記録媒体の両側部の位置を、ガイド部材１、２によって規制し、それらの搬送をガイドすることができる。
【００４２】
また、ガイド部材４の係止板片４５１を回転させてスリット５４に嵌合させて位置決めすると、搬送路Ｐ２を搬送される記録媒体の一方側部の位置を、基準位置に位置決めされたガイド部材４によって規制すると同時に、これと組をなすガイド部材３が位置調整可能であることによって、他方側部の位置もガイド部材３を記録媒体幅に位置調整することによって規制する。これにより、搬送路Ｐ２を搬送される幅ｗ２の記録媒体の両側部を、ガイド部材３、４によって規制し、それらの搬送をガイドすることができる。
【００４３】
次に、最大幅である幅ｗ３の記録媒体を１列のみ搬送する場合、図３に示すように、中程に位置するガイド部材２、３をスライド部材６、７から取り外すことにより、ガイド部材１及び４の間に幅広の搬送路Ｐ３が形成される。このとき、一方のガイド部材１は取り付け部材５に対して基準位置に固定されているため、このガイド部材１が記録媒体の一方側部の位置を規制すると同時に、ガイド部材４の係止板片４５１を回転させてスリット５４との係止状態を解除した後、ストッパ部材４４を操作してガイド部材４を記録媒体幅に位置調整し、記録媒体の他方側部の位置を規制する。これにより、幅ｗ３の記録媒体の両側部を、ガイド部材１、４によって規制し、その搬送をガイドすることができる。
【００４４】
以上のように、本発明に係る記録媒体の搬送ガイド装置によれば、各ガイド部材１〜４のうち、少なくとも両端部にそれぞれ配設された２つのガイド部材１、４を除く残りのガイド部材２、３を取り付け部材５に対して着脱可能としたので、小幅の記録媒体を搬送路Ｐ１とＰ２に並列させて搬送する場合に、各ガイド部材１〜４の全てを使用して各記録媒体の両側部の位置をそれぞれ規制して、それらの搬送をガイドすることができると共に、大幅の記録媒体を搬送する場合には、ガイド部材２、３を取り付け部材５から取り外せば、ガイド部材１と４との間に幅広の搬送路Ｐ３を形成することができ、この搬送路Ｐ３を使用して大幅の記録媒体の両側部の位置をガイド部材１、４で規制して、その搬送をガイドすることができ、搬送される記録媒体の列数及び記録媒体の幅に関わらず、常に記録媒体の両側部の位置を規制することができ、安定した搬送をガイドすることができる。
【００４５】
また、各ガイド部材１〜４における記録媒体の両側部をガイドする組を構成する２つのガイド部材１と２及び３と４のうちの一方（ガイド部材１、４）は、取り付け部材５に対して基準位置に位置決めされ、他方（ガイド部材２、３）は記録媒体の幅方向に沿って位置調整可能とされているので、小幅の記録媒体を搬送路Ｐ１とＰ２に並列させて搬送する場合に、ガイド部材２、３を記録媒体幅に合わせて位置調整して、該記録媒体を基準位置に位置決めされたガイド部材１、４に押し付けることで、記録媒体毎に幅が異なるような場合でも、記録媒体の片寄りや蛇行等が発生することなく、安定した搬送を行うことができる。
【００４６】
更に、各ガイド部材１〜４のうち、両端部にそれぞれ配設された２つのガイド部材１、４のうちの一方のガイド部材１は、基準位置に固定され、他方のガイド部材４は、基準位置に位置決め可能であり、且つ、記録媒体の幅方向に沿って位置調整可能とされているので、ガイド部材２、４を取り外して搬送路Ｐ３に大幅の記録媒体を１列搬送させる場合に、ガイド部材４を記録媒体幅に合わせて位置調整して、該記録媒体を基準位置に位置決めされたガイド部材１に押し付けることで、記録媒体毎に幅が異なるような場合でも、記録媒体の片寄りや蛇行等が発生することなく、安定した搬送を行うことができる。
【００４７】
以上説明した記録媒体の搬送ガイド装置では、両端部に配置されたガイド部材１、４を取り付け部材５に対して着脱不能に構成しているが、ガイド部材１、４が取り付け板５に対して基準位置に位置決めされ、好ましくは、更にそのうちの一方のガイド部材４が記録媒体の幅方向に沿って位置調整可能となるように構成されれば、取り付け部材５に対して着脱可能に構成してもよい。
【００４８】
また、以上説明した記録媒体の搬送ガイド装置では、合計４個のガイド部材を設けることにより、小幅の記録媒体を２列に並列させて搬送可能としているが、本発明はこれに限定されず、両端部にそれぞれ配設された２つのガイド部材１、４を除く残りのガイド部材を４個以上の偶数個配設し、それらを取り付け部材に対して着脱可能に設けることで、小幅の記録媒体を３列以上に並列させて搬送する場合にも、各記録媒体の両側部の位置を規制して、その搬送をガイドするように構成してもよい。
【００４９】
この場合、両端部にそれぞれ配設されたガイド部材と組をなさない残りのガイド部材のうちで組をなす少なくとも一方は、記録媒体の幅方向に沿って位置調整可能に構成されていると、記録媒体毎に幅が異なるような場合でも、記録媒体の片寄りや蛇行等が発生することなく、安定した搬送を行うことができるためにより好ましい。
【００５０】
本発明に係る記録媒体の搬送ガイド装置は、取り付け部材５を記録媒体の搬送を行う装置本体に対して取り付けることによって装備される。この記録媒体の搬送を行う装置としては、例えばインクジェットプリンタ、レーザープリンタ、インクジェット捺染装置、複写機、ファクシミリ、画像露光装置等の各種画像記録装置、画像形成装置があり、本発明に係る記録媒体の搬送ガイド装置は、これら装置における記録媒体の搬送系に適用することができる。
【００５１】
また、搬送される記録媒体は、ロール状に巻回された元巻から連続して繰り出されるロール状の記録媒体である場合に、本発明は顕著な効果を発揮するが、これに限らず、予め所定サイズに裁断されたシート状の記録媒体にも同様に使用することができ、更に、記録媒体の種類も、紙、布、プラスチックシート等、画像記録を行う媒体として使用可能ないずれの記録媒体を用いることもでき、特に限定されない。
【図面の簡単な説明】
【００５２】
【図１】本発明に係る記録媒体の搬送ガイド装置の全体斜視図
【図２】本発明に係る記録媒体の搬送ガイド装置を裏面側からみた斜視図
【図３】ガイド部材を取り付け部材から取り外した状態を示す全体斜視図
【図４】ストッパ部材を示す平面図
【図５】ストッパ部材の可動片の開口とガイド棒との状態を示す部分拡大図
【図６】ガイド部材を裏面側からみた斜視図
【図７】（ａ）はガイド部材を取り付け部材に対して位置決めした状態を示す部分斜視図、（ｂ）はガイド部材を取り付け部材に対する係止状態を解除した状態を示す部分斜視図
【符号の説明】
【００５３】
Ｐ１、Ｐ２：搬送路
１〜４：ガイド部材
１１、２１、３１、４１：支持板部
１２、２２、３２、４２：ガイド板部
２３、３３：係合脚部
２４、３４：係合板部
２５、３５：係止爪部
２５１、３５１：爪部
２５２、３５２：後端
２６、３６：取り付け脚部
４３：脚部
４４：ストッパ部材
４４１：基板
４５：係止部材
４５１：係止板片
５：取り付け部材
５１、５２、５３：規制溝
５４：スリット
６、７：スライド部材
６１、７：支持部
６２、７２：脚部
６３、７３：ストッパ部材
６４、７４：幅広溝
６５、７５：幅狭溝
６６、７６：張り出し部
６３１、７３１：ビス
６３２、７３２：取り付け板
６３３、７３３：固定片
６３４、７３４：軸
６３５、７３５：可動片
６３６、７３６：付勢ばね
６３７、６３８、７３７、７３８：開口
８：ガイド棒
【図１】
2005082262.tif 000003
【図２】
2005082262.tif 000004
【図３】
2005082262.tif 000005
【図４】
2005082262.tif 000006
【図５】
2005082262.tif 000007
【図６】
2005082262.tif 000008
【図７】
2005082262.tif 000009